(57)【要約】【課題】サーボモータの回転を検出するための回転スリット板のスリット数を増やし、かつ組み立て性を考慮したレンズ鏡筒を提供する。【解決手段】本発明のレンズ鏡筒は、サーボモータ、複数の羽根部間の隙間によって形成される複数のスリットを有する回転スリット板を具備するレンズ鏡筒であって、前記回転スリット板は、前記シャフトに対して固定可能に構成された第１固定部と、前記複数の羽根部のうちの一つ又は複数の第１羽根部群とを有する第１部品、及び前記シャフトに径方向外側から嵌合可能であって前記シャフトに対して固定可能に構成された第２固定部と、前記複数の羽根部のうちの前記第１羽根部群以外である第２羽根部群と、前記第１固定部と係合することにより前記第２固定部の前記第１固定部に対する前記シャフト周りの位置決めを行うように構成された係合部とを有する第２部品によって構成されている。【選択図】図１１
2014059467.tif 000002
【特許請求の範囲】
【請求項１】
サーボモータ、前記サーボモータのシャフトに固定され、周方向に等間隔に配設された複数の羽根部間の隙間によって形成される複数のスリットを有する回転スリット板、及び前記シャフトとともに回転する前記回転スリット板の前記スリットの通過を検出するフォトインタラプタを具備するレンズ鏡筒であって、
前記回転スリット板は、
前記シャフトに対して固定可能に構成された第１固定部と、前記複数の羽根部のうちの一つ又は複数の第１羽根部群と、を有する第１部品、及び
前記シャフトに径方向外側から嵌合可能であって前記シャフトに対して固定可能に構成された第２固定部と、前記複数の羽根部のうちの前記第１羽根部群以外である第２羽根部群と、前記第１固定部と係合することにより前記第２固定部の前記第１固定部に対する前記シャフト周りの位置決めを行うように構成された係合部と、を有する、第２部品
によって構成されることを特徴とするレンズ鏡筒。
【請求項２】
前記シャフトに固定されるドライブギヤ有し、
前記第１部品は、前記第１固定部において前記ドライブギヤと一体であることを特徴とする請求項１に記載のレンズ鏡筒。
【発明の詳細な説明】
【技術分野】
【０００１】
本発明は、サーボモータを有するレンズ鏡筒に関する。
【背景技術】
【０００２】
カメラやビデオカメラ等の撮像装置に用いられるズームレンズ鏡筒において、ズーム動作の駆動力源としてＤＣサーボモータを用いたものがある。このようなレンズ鏡筒は、例えば、特開２０１１−９９９７９号公報に開示されている。
【０００３】
特開２０１１−９９９７９号公報に開示のレンズ鏡筒では、ズーム動作の駆動力源となるサーボモータのシャフトに、周方向に複数のスリットが穿設された回転スリット板を固定し、フォトインタラプタによってこのスリットの通過を検出する事によって、サーボモータの回転速度を検出し、制御している。
【先行技術文献】
【特許文献】
【０００４】
【特許文献１】特開２０１１−９９９７９号公報
【発明の概要】
【発明が解決しようとする課題】
【０００５】
特開２０１１−９９９７９号公報に開示のレンズ鏡筒では、サーボモータのシャフト周辺にネジ穴が設けられており、当該ネジ穴に螺合するネジを用いてサーボモータをモータ取付壁に固定した後に、シャフトにシャフトの径方向（側方）から回転スリット板を嵌め込む構成を有している。このように、回転スリット板の組み付けよりも先に、サーボモータをネジ止めする構成とすることによって、組み立て時における回転スリット板とネジを回す工具との干渉を無くし、レイアウトの自由度を向上させている。
【０００６】
このように、シャフトの径方向から回転スリット板を嵌め込む構成である場合、回転スリット板に、外周部から中心部に至る切り欠き部を設ける必要がある。この切り欠き部の幅は、サーボモータのシャフトの外径に応じて決定されるため、狭くするには限界がある。この切り欠き部が存在することによって、フォトインタラプタで検出するためのスリットを配置する間隔を狭くすることは困難となる。回転スリット板のスリットの間隔は、狭いほどサーボモータの回転速度を検出する分解能が向上するため、ズーム動作等の制御を細かく行うことが可能となり、好ましい。
【０００７】
本発明は、上述した点に鑑みてなされたものであって、サーボモータの回転を検出するための回転スリット板のスリット数を増やし、かつ組み立て性を考慮したレンズ鏡筒を提供することを目的とする。
【課題を解決するための手段】
【０００８】
本発明の一態様のレンズ鏡筒は、サーボモータ、前記サーボモータのシャフトに固定され、周方向に等間隔に配設された複数の羽根部間の隙間によって形成される複数のスリットを有する回転スリット板、及び前記シャフトとともに回転する前記回転スリット板の前記スリットの通過を検出するフォトインタラプタを具備するレンズ鏡筒であって、前記回転スリット板は、前記シャフトに対して固定可能に構成された第１固定部と、前記複数の羽根部のうちの一つ又は複数の第１羽根部群と、を有する第１部品、及び前記シャフトに径方向外側から嵌合可能であって前記シャフトに対して固定可能に構成された第２固定部と、前記複数の羽根部のうちの前記第１羽根部群以外である第２羽根部群と、前記第１固定部と係合することにより前記第２固定部の前記第１固定部に対する前記シャフト周りの位置決めを行うように構成された係合部と、を有する、第２部品によって構成される。
【発明の効果】
【０００９】
本発明によれば、サーボモータの回転を検出するための回転スリット板のスリット数を増やし、かつ組み立て性を考慮したレンズ鏡筒を提供できる。
【図面の簡単な説明】
【００１０】
【図１】レンズ鏡筒の分解斜視図の一部である。
【図２】レンズ鏡筒の分解斜視図の他の一部である。
【図３】固定枠とズーム駆動ユニットの分解斜視図である。
【図４】レンズ鏡筒の沈胴状態における撮影レンズ光軸に沿った縦断面図である。
【図５】レンズ鏡筒のワイド状態における撮影レンズ光軸に沿った縦断面図である。
【図６】レンズ鏡筒のズーム標準状態における撮影レンズ光軸に沿った縦断面図である。
【図７】レンズ鏡筒のテレ状態における撮影レンズ光軸に沿った縦断面図である。
【図８】ギヤケースに、サーボモータ、ドライブギヤ及び回転スリット板を組み付けた状態を示す斜視図である。
【図９】図８のＡ矢視図である。
【図１０】図８のＢ矢視図である。
【図１１】ギヤケースからサーボモータを取り外した分解斜視図である。
【図１２】ドライブギヤ及び回転スリット板の分解斜視図である。
【図１３】第１部品を基端側から見た図である。
【図１４】第２部品を基端側から見た図である。
【図１５】第１部品及び第２部品を基端側から見た斜視図である。
【図１６】第１羽根部とネジとの位置関係を説明する図である。
【図１７】第１部品及び第２部品を組み合わせた状態を示す図である。
【図１８】ギヤケースに、サーボモータ、ドライブギヤ及び回転スリット板を組み付ける手順を説明する図である。
【図１９】ギヤケースに、サーボモータ、ドライブギヤ及び回転スリット板を組み付ける手順を説明する図である。
【図２０】ギヤケースに、サーボモータ、ドライブギヤ及び回転スリット板を組み付ける手順を説明する図である。
【図２１】第１部品の変形例を示す図である。
【発明を実施するための形態】
【００１１】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１２】
本発明の一実施形態であるレンズ鏡筒１は、例えば、デジタルカメラ等に組み込まれるものであり、各鏡枠が撮影光学系の光軸に沿う方向に繰り出され、撮影を行ない得る撮影状態の位置と、非撮影状態であって、上記鏡枠が繰り込まれ、固定枠内部に収納される沈胴状態の位置とに変位自在に構成される沈胴式のズームレンズ鏡筒である。なお、以下の説明においては、レンズ鏡筒１における撮影光学系の光軸を光軸Ｏとする。また、光軸Ｏに沿う方向において被写体側（物体側）を前方とし、結像側（像側）を後方とする。そして、レンズ鏡筒１にて各鏡枠が前方に向かう方向を繰り出し方向とし、各鏡枠の回転方向は、前方側から見た回転方向で示す。さらに、左右方向は、前方側から見た方向で示す。
【００１３】
図１及び図２に示すように、レンズ鏡筒１は、当該カメラ本体に固着される固定枠２と、固定枠２に支持され、回転及び進退駆動される回転枠３と、回転規制（すなわち、回転阻止）状態のもとで回転枠３と共に光軸Ｏ方向に進退する移動枠４と、回転枠３と共に回転して、光軸Ｏ方向に進退移動する内カム枠９と、回転規制状態で内カム枠９と共に光軸Ｏ方向に進退移動するフロートキー５と、二群枠１３及びシャッタ枠１２を内部に支持し、回転規制状態で光軸Ｏ方向に進退移動する二群ズーム枠１１と、回転規制状態で光軸Ｏ方向に進退移動するガイド枠６と、回転規制状態でガイド枠６とともに光軸Ｏ方向に進退移動する外カム枠７と、回転規制状態で光軸Ｏ方向に進退移動する一群ズーム枠８と、レンズバリアを内蔵する一群キャップユニット２０と、フォーカシング時や沈胴動作時に光軸方向に進退駆動される三群枠１４と、固定枠２の背面部に固定支持される四群枠ユニット１５と、四群枠ユニット１５の背面側に固定支持される撮像ユニット１６とを備え、さらに、鏡筒駆動部としてズーム駆動ユニット１７及びフォーカス駆動ユニット１８と、撮影光学系として、一群ズーム枠８に保持されるズームレンズ系の第二のレンズである一群レンズ６１と、二群枠１３に保持されるズームレンズ系の第一のレンズである二群レンズ６２と、三群枠１４に保持されるフォーカスレンズである三群レンズ６３と、四群枠３２に保持される四群レンズ６４と、シャッタ枠１２に保持されるシャッタ羽根６５、シャッタアクチュエータ６６とを備えている。
【００１４】
固定枠２は、円筒内周部を有しており、その内周部に光軸Ｏに対して傾斜する傾斜カム溝部と円周に沿って形成される円周溝部とが連接されたカム溝２ａと、光軸Ｏに沿う方向に形成される直進溝２ｂとを有している。
【００１５】
さらに、固定枠２の外周右上部のユニット収容部２ｄに撮影光学系のズーミング駆動を行うためのズーム駆動ユニット１７が配され、外周左上部のユニット収容部２ｅに撮影光学系のフォーカシング駆動を行うためのフォーカス駆動ユニット１８が配されている。
【００１６】
ズーム駆動ユニット１７は、図３に示すようにギヤケース４４と、ズーム駆動アクチュエータとなるサーボモータ４１と、ウォームホイール４５、ギヤ４６、４７、ロングギヤ４８とからなる。詳しくは後述するが、サーボモータ４１のシャフト４１ｂにはウォームスクリューであるドライブギヤ４２及びモータ回転量検出用の８つの羽根部を有する回転スリット板７０が固着されている。また、ギヤケース４４には、サーボモータ４１のシャフト４１ｂとともに回転する回転スリット板７０の羽根の通過を検出するためのフォトインタラプタ５０が固定されている。
【００１７】
サーボモータ４１及びギヤ４６等が組み込まれたギヤケース４４は、固定枠２のネジ穴を通し、ギヤケース４４のネジ穴４４ｃ、４４ｄに挿通させたネジ５８、５９により固定枠２のユニット収容部２ｄに固定される。ロングギヤ４８は、ギヤ４７に噛合した状態でロングギヤ収容室２ｆに挿入される。
【００１８】
上述したズーム駆動ユニット１７におけるサーボモータ４１の回転は、ドライブギヤ４２からウォームホイール４５、ギヤ４６、４７を経てロングギヤ４８に伝達される。なお、ズーム駆動ユニット１７の詳細な構成は後述するものとする。
【００１９】
フォーカス駆動ユニット１８は、フォーカス駆動アクチュエータとなるフォーカスモータ５１と、ユニット支持板５２と、ユニット支持板５２に支持される送リネジ５６及びガイド軸５３と、ギヤ５４、５５と、送リネジ５６に螺合するナット５７とからなる。
【００２０】
フォーカス駆動ユニット１８は、固定枠２のユニット収容部２ｅに組み込まれる。フォーカスモータ５１の回転は、ギヤ５４、５５を経て送リネジ５６に伝達され、送リネジ５６の回転によってナット５７が光軸Ｏ方向に沿って進退移動する。
【００２１】
三群枠１４は、三群レンズ６３を保持しており、固定枠２の内周部後方側に収容されている。三群枠１４は、フォーカス駆動ユニット１８のガイド軸５３が摺動可能に嵌入するガイド軸穴１４ａと、固定枠２の直進溝２ｃに摺動可能に係合するガイド突起部１４ｂを有している。
【００２２】
三群枠１４は、ガイド軸５３と直進溝２ｃとにより光軸Ｏ方向に進退移動可能に支持されており、フォーカシング時、フォーカス駆動ユニット１８によりナット５７を介して光軸Ｏ方向に進退駆動される。
【００２３】
四群枠ユニット１５は、地板３１と、該地板３１の前面部に固着され、四群レンズ６４を保持する四群枠３２とからなる。四群枠地板３１は、固定枠２の後端面にネジにより固着される。
【００２４】
撮像ユニット１６は、撮像ユニット地板３３と、保護ガラス、光学系フィルタ、撮像素子等を備える撮像素子ユニット３４と、接続用フレキシブル回路基板３５とからなる。撮像ユニット地板３３は、固定枠２の後方であって、四群枠地板３１の背面に重ねた状態で固着される。
【００２５】
回転枠３は、光軸Ｏ方向に両端が開放された円筒形状の枠部材であり、回転枠３の筒部外周が固定枠２の筒部内周に回動及び進退自在な状態で嵌入する。回転枠３の外周後方部には、固定枠２のカム溝２ａに摺動自在に嵌入するカムフォロア３ｂと、ロングギヤー４８に噛合するギヤ部３ａとが形成されている。
【００２６】
回転枠３の内周部には光軸Ｏに対して傾斜する第一のカム溝（第二のカム手段）であるカム溝３ｃと、光軸Ｏに沿う方向に形成された第一の直進溝（第一のカム手段）である直進溝３ｄとが設けられ、さらに、回転枠３の内周前端部には周方向に沿った周溝３ｅが設けられている。
【００２７】
レンズ鏡筒１を沈胴状態から撮影状態にセットアップするとき、サーボモータ４１によりロングギヤ４８が回転駆動される。回転枠３は、ギヤ部３ａを介して回転駆動され、カム溝２ａによりカムフォロア３ｂを介して沈胴位置から前方に向けて繰り出され、撮影状態のワイド位置に達する。その後、さらに、ロングギヤ４８が同方向に回転駆動されると、回転枠３は、カム溝２ａ上をカムフォロア３ｂが周方向に沿って移動し、光軸Ｏ方向に進退することなくテレ位置まで回動移動する。
【００２８】
移動枠４は、光軸Ｏ方向に両端が開放された円筒形状の枠部材であって、移動枠４の筒部外周が回転枠３の筒部内周に相対的に回転自在に、かつ、回転規制（回転阻止）状態で嵌入している。移動枠４の後端外周部に固定枠２の直進溝２ｂに摺動可能に係合し、外方に突設するガイド突起部４ａと、前端部外周部に沿い、回転枠３の周溝３ｅに摺動可能に係合する突起部４ｅと、円周筒部に内外周を貫通する溝であって、光軸Ｏ方向に傾斜するカム溝４ｄ及び光軸Ｏ方向に沿った直進溝４ｂ、４ｃとが設けられる。
【００２９】
移動枠４は、固定枠２の直進溝２ｂによって回転規制（回転阻止）され、かつ、回転枠３に対して相対回転可能な状態で突起部４ｅと周溝３ｅによりバヨネット結合されている。従って、回転枠３が回転、また、進退した場合、移動枠４は、回転規制状態で回転枠３とともに光軸方向への進退移動する。
【００３０】
内カム枠９は、光軸Ｏ方向に両端が開放された円筒形状の枠部材であり、外カム枠７の内周部に嵌入し、ともに回転し（相対回転が規制されている状態で）、光軸Ｏ方向に両端が開放された）、かつ、光軸Ｏ方向に進退する。この内カム枠９は、外周後方部に外方に向けて突設される第一のカムフォロアであるカムフォロア９ｂと該カムフォロアの外方先端に一体で設けられるガイド突起９ａと、外周部に光軸Ｏ方向に沿った回転伝達手段である直線状直進ガイド突起９ｅとを有している。また、内カム枠９の内周部に光軸Ｏに対して傾斜するカム溝９ｃ及びカム溝９ｄａ、９ｄｂと、周方向に沿った周溝９ｆと、二群枠１３が退避位置に回動したときの逃げ部とが設けられている。
【００３１】
内カム枠９のカムフォロア９ｂは、移動枠４のカム溝４ｄに摺動可能に係合し、ガイド突起９ａは、移動枠４のカム溝４ｄを挿通して回転枠３の直進溝３ｄに摺動自在に係合する。従って、内カム枠９は、回転枠３と共に回動しながら移動枠４に対して相対的に光軸Ｏ方向に進退する。
【００３２】
フロートキー５は、中央に開口を有する円板状に形成される枠部材であり、円板状部が移動枠４に嵌入し、回転規制状態で光軸Ｏ方向に進退する。フロートキー５には円板状部外方に突出するガイド突起部５ａと、これと対となり円板状外周に突出する突起部５ａ′と、光軸Ｏ方向に沿って前方に突出する直線状の２本の直進ガイド５ｂと、直進ガイド５ｂの外周部に外周側に突出する突起５ｃとが設けられ、フロートキー５の円板状部には遮光板が貼り付けられている。
【００３３】
フロートキー５のガイド突起部５ａは、移動枠４の直進溝４ｂに摺動可能に係合する。また、突起部５ａ′は、移動枠４の直進溝４ｃに緩く嵌合し、鏡枠前方より直進溝４ｃから進入する不要光をある程度、遮光している。直進ガイド５ｂは、内カム枠９の内周部を貫通し、その貫通状態で直進ガイド５ｂ上の突起５ｃが内カム枠９の周溝９ｆに摺動可能に係合する。従って、フロートキー５は、移動枠４により回転規制されながら、内カム枠９と光軸Ｏ方向に一体の状態で進退移動する。
【００３４】
二群ズーム枠１１は、円筒形状の枠部材からなり、その外周部が内カム枠９の内周部に相対回転可能に嵌入する。二群ズーム枠１１の内部には二群枠１３が撮影光路に対して直角に進退可能になっていて、進入位置と退避位置に回動可能な状態で支持され、さらに、二群枠１３の後方にシャッタ枠１２が光軸Ｏ方向に進退可能な状態で後方に向けてバネ付勢された状態で支持されている。
【００３５】
二群ズーム枠１１の外周部には左右に光軸Ｏ方向に沿った直進溝１１ｃと、第三のカムフォロアとして２つのカムフォロア１１ａ及び光軸Ｏ方向に沿って配され、対となる２つのカムフォロア１１ｂａ、１１ｂｂとが設けられる。また、内周部に二群枠１３を回動可能に支持する光軸Ｏと平行な支持軸（図示せず）が設けられる。
【００３６】
フロートキー５の直進ガイド５ｂが直進溝１１ｃに摺動可能に挿通し、カムフォロア１１ａが内カム枠９のカム溝９ｃに、また、カムフォロア１１ｂａ、１１ｂｂがカム溝９ｄａ、９ｄｂにそれぞれ係合し、二群ズーム枠１１は、内カム枠９の内周部に嵌入している。従って、二群ズーム枠１１は、フロートキー５によって回転規制（回転阻止）された状態のもとで内カム枠９の回転と進退移動にともない移動枠４、内カム枠９のそれぞれの相対移動量に、カム溝９ｃ、９ｄａによる移動分を加えた移動量だけ光軸Ｏ方向に進退する。
【００３７】
なお、二群ズーム枠１１の前端面には一群ズーム枠８との間に圧縮コイルバネ２６が挿入されており、二群ズーム枠１１が後方に、一群ズーム枠８が前方にそれぞれ付勢される状態になっているので、カムフォロア１１ａ、１１ｂａ、１１ｂｂ及びカムフォロア２４とそれらが係合する各カム溝との間のガタ取りがなされる。
【００３８】
ガイド枠６は、光軸Ｏ方向に両端が開放された円筒形状の枠部材からなり、ガイド枠６の筒部が移動枠４の筒部内周側に嵌入する。ガイド枠６の後端外周部から内周に貫通するピン部材２５が圧入固着されている。ガイド枠６の内周部には光軸Ｏ方向に沿った第三の直進溝（第四のカム手段）である直進溝６ｃ、６ｂと、後端部周方向に沿った周溝６ａとが設けられる。
【００３９】
ガイド枠６の後端部に圧入されるピン部材２５にはガイド枠６の内周側に突出するガイドピン部２５ｃと、外周側に突出するガイドピン部２５ｂと、ガイドピン部２５ｂの先端部に形成される第二のカムフォロアであるカムフォロア２５ａとが形成されている。
【００４０】
外カム枠７は、光軸Ｏ方向に両端が開放された円筒形状の枠部材からなり、筒部外周後端がガイド枠６の筒部内後端部に位置し、かつ、筒部外周部が一群ズーム枠８の内周部に嵌合挿入され、さらに、外カム枠７の筒部内周部に内カム枠９の筒部外周部が嵌入する。外カム枠７には後端外周部に周溝７ｂ及び突起部７ｃと、外周部に光軸Ｏ方向に対して傾斜するカム溝７ａと、内周部に光軸Ｏ方向に沿った直進溝７ｄとが設けられる。内カム枠９の直進ガイド突起９ｅが外カム枠７の直進溝７ｄに摺動可能に係合し、外カム枠７は内カム枠９とともに回転可能に、つまり、外カム枠７と内カム枠９とは、相対回転が規制されて支持される。なお、外カム枠７には沈胴時にバリア羽根２３を閉方向に駆動するために、バリアリング２２に設けられた被駆動腕に当接する当接傾斜面７ｅが光軸Ｏ方向前端面に設けられている。また、外枠７の後側端面には、内カム枠９のカムフォロア９ａ、９ｂを有する外径方向に延びた脚部との干渉を回避するための切り欠き７ｆが設けられている。
【００４１】
ピン部材２５は、ガイド枠６の後端のピン穴に外周側から圧入され、ガイドピン部２５ｃを貫通させる。貫通したガイドピン部２５ｃは、外カム枠７の周溝７ｂに摺動可能に係合する。また、ガイド枠６に圧入されたピン部材２５のガイド枠６の外方側への突出部分にあるガイドピン部２５ｂとカムフォロア２５ａとは、移動枠４の直進溝４ｃと回転枠３のカム溝３ｃとにそれぞれ摺動可能に係合する。
【００４２】
一群ズーム枠８は、円筒形状の枠部材からなり、筒部外周がガイド枠６の内周部に嵌入し、かつ、一群ズーム枠８の内周部に外カム枠７が嵌入する。一群ズーム枠８の後端には内周側に突出する第四のカムフォロアであるカムフォロア２４が圧入固着されており、カムフォロア２４が圧入され、外径方向に突出する突起部８ａが設けられ、さらに、同じ外周後端部に外径方向に突出した別の突起部８ｂが設けられる。
【００４３】
一群ズーム枠８は、カムフォロア２４を外カム枠７のカム溝７ａに係合させて外カム枠７の外周に嵌入する。一群ズーム枠８の突起部８ａ、８ｂをガイド枠６の内周側直進溝６ｃ、６ｂに係合させ、かつ、外カム枠７の突起部７ｃをガイド枠６の周溝６ａに係合させた状態で一群ズーム枠８及び外カム枠７とをガイド枠６の内周部に嵌入する。
【００４４】
従って、ガイド枠６と一群ズーム枠８とは移動枠４により回転規制（回転阻止）状態で光軸Ｏ方向に進退移動可能に支持され、外カム枠７は、ガイド枠６と光軸Ｏ方向に一体で移動するように支持され、かつ、内カム枠９とともに回転枠３により回転駆動される。そして、ガイド枠６が回転枠３により進退、回転駆動されると、一群ズーム枠８は、回転枠３、ガイド枠６のそれぞれの相対移動量に、カム溝７ａによる移動分を加えた移動量だけ光軸Ｏ方向にに進退する。
【００４５】
一群キャップユニット２０は、一群キャップ２１と、バリアリング２２と、バリア羽根２３とバリア付勢バネ（図示せず）からなる。
【００４６】
一群キャップ２１は、バリア羽根２３により開閉される中央開口部２１ａを有し、一群ズーム枠８の前方部に装着される。バリアリング２２は、一群ズーム枠８の前面に光軸Ｏを中心に回動可能に支持され、外カム枠７の回動に連動してバリア羽根２３の開閉を行う。バリア羽根２３は、一群キャップの支持軸２１ｂに回動支持される一対のバリア羽根からなり、一群キャップ２１とバリアリング２２との間に収容され、上記バリア付勢バネにより開方向に付勢されている。
【００４７】
次に、上述した構成を有するレンズ鏡筒１の進退動作について説明する。
【００４８】
レンズ鏡筒１が沈胴状態にあるときは、図４に示すように各鏡枠部材は重なった状態で固定枠２の内部に繰り込まれている。この沈胴状態では、二群枠１３は、四群枠３２に設けられる退避カム３２ａにより回動駆動され、光軸Ｏ′をもつ二群レンズ６２が撮影光路から退避している。また、ズームレンズ鏡筒先端部に設けられたレンズバリア２３も閉じている。
【００４９】
レンズ鏡筒１を上記沈胴状態から撮影可能なワイド状態にセットする場合、サーボモータ４１を回転駆動し、回転枠３を時計回りに回動駆動する。回転枠３は、カム溝２ａによって回転しながらワイド位置まで光軸Ｏ方向に繰り出される（図５）。それと同時にバリアリング２２の被駆動腕と当接していた外カム枠７の当接傾斜面７ｅの当接が解除され、バリア羽根２３が連動して開状態となる。
【００５０】
回転枠３の回転、移動にともなってフロートキー５が光軸Ｏ方向に移動し、内カム枠９が回転しながら光軸Ｏ方向に移動し、その移動にともなって二群ズーム枠１１がワイド位置に繰り出される。二群ズーム枠１１の繰り出しにより二群枠１３のカムフォロア１３ｂが退避カム３２ａに沿って回動駆動され、さらに、離間すると、二群枠１３が反時計回りに回動して二群レンズ６２が撮影光路内に進入する。また、シャッタ枠１２は付勢バネの付勢力により二群ズーム枠１１に対して相対的に後方側に離間した位置に移動する。
【００５１】
一方、ガイド枠６も回転枠３の回転、光軸Ｏ方向の移動にともなって繰り出されるので、一群ズーム枠８が回転、進退する外カム枠７を介してワイド位置に繰り出される。レンズ鏡筒１がワイド状態にあるとき、二群ズーム枠１１は、一群レンズ６１の位置よりも撮像素子ユニット３４に近い位置にあって、内カム枠９の後端面は、外カム枠７の後端面よりも光軸Ｏ方向に後側にある。そして、内カム枠９の前端面は、外カム枠７の後端面よりも光軸Ｏ方向に前側にあり、かつ、内カム枠９の前端面は、外カム枠７の前端面と後端面との間にある。そして、このとき、外観部品としての回転枠３の前端面は、固定枠２の前端面より前方にあり、回転枠３の後端面は、固定枠２の中にあり、ガイド枠６の前端面は、回転枠３の前端面より前方にあり、ガイド枠６の後端面は、回転枠３の中にあり、一群ズーム枠８の前端面は、ガイド枠６の前端面より前にあり、一群ズーム枠８の後端面は、ガイド枠６の中にあり、これらは、いわゆる筍状に光軸Ｏ方向に延びている。
【００５２】
二群ズーム枠１１及び一群ズーム枠８が上述の撮影可能なワイド位置に到達後、レンズ鏡筒１を撮影可能なズームスダンダード状態、あるいは、テレ状態とにする場合、さらに、回転枠３を回動駆動し、二群ズーム枠１１及び一群ズーム枠８がそれぞれのズーミング位置に向けて進退移動する（図６、図７）。そして、レンズ鏡筒１がテレ状態にあるとき、二群ズーム枠１１は、撮像素子ユニット３４の位置よりも一群レンズ６１に近い位置にある。また、内カム枠９の前端面は、外カム枠７の前端面よりも光軸Ｏ方向に前側に位置する。内カム枠９の後端面は、外カム枠７の前端面よりも光軸Ｏ方向に後側に位置する。
【００５３】
レンズ鏡筒１の上記各ズーム状態において、三群枠１４はフォーカスモータ５１の回転駆動によりフォーカス駆動ユニット１８を介して三群レンズ６３がフォーカシング位置に位置するよう繰り出される。
【００５４】
次に、ズーム駆動ユニット１７の詳細な構成について説明する。
【００５５】
図８から図１１に示すように、サーボモータ４１は、本実施形態では一例として、本体部から突出する丸棒状のシャフト４１ｂを回転駆動するように構成されたＤＣサーボモータである。サーボモータ４１は、本体部に設けられた略平面状の座面部４１ｃを有し、座面部４１ｃにおいてギヤケース４４と接している。
【００５６】
座面部４１ｃからは、シャフト４１ｂが突出している。シャフト４１ｂは、座面部４１ｃの中央部において、座面部４１ｃに対して略直交するように配設されている。
【００５７】
また、座面部４１ｃにおいてシャフト４１ｂの周囲には、本体部をギヤケース４４に固定するための一つ又は複数のネジ穴４１ａが設けられている。本実施形態では一例として、座面部４１ｃには一対のネジ穴４１ａが設けられている。一対のネジ穴４１ａは、シャフト４１ｂから略等しい所定の距離だけ離れた位置であって、間にシャフト４１ｂが位置するように配設されている。なお、一対のネジ穴４１ａは、本実施形態ではシャフト４１ｂを対称軸とした略対称の位置関係で配設されているが、一対のネジ穴４１ａとシャフト４１ｂとの位置関係は、本実施形態に限られるものではなく任意である。
【００５８】
ギヤケース４４には、サーボモータ４１が固定されるモータ固定壁４４ｅが設けられている。モータ固定壁４４ｅの一方の面には、サーボモータ４１の座面部４１ｄが接する着座部４４ｆが形成されている。
【００５９】
モータ固定壁４４ｅには、サーボモータ４１の座面部４１ｄが着座部４４ｆに接した状態において、シャフト４１ｂがモータ固定壁４４ｅを貫通するシャフト挿通部４４ｆが形成されている。シャフト挿通部４４ｆは、周囲が閉じた孔状の形状であってもよいし、一部がモータ固定壁４４ｅの側部において開いた切り欠き状の形状であってもよい。
【００６０】
本実施形態では一例として、シャフト挿通部４４ｆは、細長のスリット状であって、長手方向の一端が、モータ固定壁４４ｅの側部において開いた形状を有している。このように、シャフト挿通部４４ｆを、モータ固定壁４４ｅの側部において開いた形状とすることによって、シャフト４１ｂの先端部にシャフト挿通部４４ｆの開口径よりも大きい径のドライブギヤ４２を固着した状態で、サーボモータ４１のギヤケース４４への着脱を行うことができる。
【００６１】
また、モータ固定壁４４ｅには、サーボモータ４１の座面部４１ｄが着座部４４ｆに接した状態において、ネジ穴４１ａに対応した位置に、モータ固定壁４４ｅを貫通するネジ挿通孔４４ａが形成されている。本実施形態では、モータ固定壁４４ｅに一対のネジ挿通孔４４ａが形成されている。
【００６２】
ネジ４９を、モータ固定壁４４ｅの着座部４４ｆとは反対側からネジ挿通孔４４ａに挿通し、サーボモータ４１のネジ穴４１ａに螺合することによって、サーボモータ４１がモータ固定壁４４ｅに固定される。
【００６３】
サーボモータ４４のシャフト４１ｂには、ドライブギヤ４２及び回転スリット板７０が固定されている。回転スリット板７０は、ドライブギヤ４２と、座面部４１ｃとの間において、シャフト４１ｂに固定されている。なお、回転スリット板７０は、ドライブギヤ４２よりもシャフト４１ｂの先端側に配設される形態であってもよい。
【００６４】
ドライブギヤ４２は、シャフト４１ｂの先端に、例えば圧入や接着剤等によって固定されている。ドライブギヤ４２の基端部には、後述する回転スリット板７０と係合する係合部４２ａが形成されている。本実施形態では一例として、係合部４２ａは、シャフト４１ｂに沿って基端方向に突出する凸部である。ここで、ドライブギヤ４２の基端部とは、ドライブギヤ４２がシャフト４１ｂに固着された状態において、シャフト４１ｂの基端に近い側の端部のことであり、ドライブギヤ４２のサーボモータ４１の本体部側に近い端部のことを指す。
【００６５】
なお、本実施形態では一例としてドライブギヤ４２は、ネジ状の歯車であるウォームであるが、ドライブギヤ４２の形態はレンズ鏡筒１の形状に応じて適宜に選定されるものであり、ドライブギヤ４２は、平歯車やはす歯歯車等の他の形態であってもよい。
【００６６】
回転スリット板７０は、シャフト４１ｂに固定された状態において、回転中心軸（シャフト４１ｂの中心軸）に対して略直交する板状の部位と、該板状の部位の回転中心軸から略同一の径上において、周方向に略等間隔で配設された複数の貫通孔であるスリットとを有して構成されている。ここで、周方向に略等間隔とは、一定の回転速度で回転スリット板７０が回転している場合に、フォトインタラプタ５０によるスリット通過の検出周期が一定となるように配設されることを指す。
【００６７】
本実施形態のレンズ鏡筒１は、ギヤケース４４に固定されたフォトインタラプタ５０によって、このスリットの通過を検出することにより、サーボモータ４４の回転速度を検出するように構成されている。このように、モータのシャフトとともに回転する板状の部位に設けられたスリットの通過を検出する事によってモータの回転速度を検出する技術は公知のものであるため、詳細な説明は省略するものとする。
【００６８】
本実施形態では一例として、図１１に示すように、回転スリット板７０は、回転中心軸から放射状に延出する複数の羽根状（花弁状、ブレード状）の羽根部を有し、該複数の羽根部が周方向に所定の隙間を有した状態で略等間隔に配設されて構成されている。複数の羽根部は、回転中心軸の軸方向において略同一の位置に配設されている。すなわち、複数の羽根部は、回転中心軸に略直交する同一の平面上に配設されている。
【００６９】
このように、本実施形態の回転スリット板７０では、複数の羽根部を同一平面上において周方向に等間隔に配設された羽根部の間の隙間が、貫通孔であるスリットを構成している。本実施形態では一例として、回転スリット板７０は、略４５度の周期で配設された８つの羽根部を有して構成されている。
【００７０】
本実施形態の回転スリット板７０の具体的な構成について以下に説明する。図１２に示すように、回転スリット板７０は、分割可能な２つの部品の組み合わせによって構成されている。以下では、回転スリット板７０を構成する２つの部品のうちの、一方の部品を第１部品７１、他方の部位を第２部品７２と称するものとする。
【００７１】
回転スリット板７０がシャフト４１ｂに固定された状態において、第１部品７１は、第２部品７２よりもドライブギヤ４２に近い方に配設されている。
【００７２】
第１部品７１は、シャフト４１ｂに対して位置が固定可能に構成された第１固定部７１ｂを有し、回転スリット板７０の複数の羽根部のうちの一部の羽根部からなる第１羽根部７１ａを有して構成されている。第１羽根部７１は、第１固定部７１ｂから延出するように配設されている。
【００７３】
一方、第２部品７２は、シャフト４１ｂに対して位置が固定可能に構成された第２固定部７２ｂを有し、回転スリット板７０の複数の羽根部のうちの第１羽根部７１ａではない残り全ての羽根部からなる第２羽根部７２ａを有して構成されている。第２羽根部７２ａは、第２固定部７２ｂから延出するように配設されている。
【００７４】
すなわち、回転スリット板７０の複数の羽根部は、第１羽根部７１ａ及び第２羽根部７２ａからなる２つの群に分割されており、一方の群である第１羽根部７１ａは第１部品７１に属し、他方の群である第２羽根部７２ａは第２部品７２に属している。なお、第１羽根部７１ａは、一つの羽根部によって構成されていてもよいし、複数の羽根部によって構成されていてもよい。
【００７５】
本実施形態では、一例として、回転スリット板７０の８つの羽根部のうちの、回転中心軸周りに略９０度の周期で配設された４つの羽根部が第１羽根部７１ａであり、残りの略９０度の周期で配設された４つの羽根部が第２羽根部７２ａである。
【００７６】
ここで、本発明において、回転スリット板７０の複数の羽根部を、第１羽根部７１ａと、第２羽根部７２ａとに振り分ける条件について説明する。第１羽根部７１ａは、第１羽根部７１ａを有する第１部品７１が、シャフト４１ｂに固定された状態のサーボモータ４１を、モータ固定壁４４ｅに固定する場合において、ネジ４９及びネジ４９を回すための工具（スクリュードライバ）と干渉することがない配置となるように選択される。残りの羽根部が第２羽根部７２ａとして選択される。
【００７７】
例えば本実施形態では、図１６に示すように、第１羽根部７１ａは、略９０度の周期で配設された４つの羽根部からなることから、第１部品７１が固定されたシャフト４１ｂを適宜に回す事によって、回転中心軸（シャフト４１ｂ）に沿う方向から見た場合に、ネジ４９（ネジ穴４１ａ）と第１羽根部７１ａとが重ならない状態をつくり出すことができる。この状態では、スクリュードライバである工具８０と第１羽根部７１ａとが干渉することもない。
【００７８】
なお、本実施形態のように回転スリット板７０が８つの羽根部を有して構成される場合、第１羽根部７１ａとして１つから７つの羽根部が選択される。
【００７９】
第１部品７１は、前述のように第１固定部７１ｂ及び第１羽根部７１ａからなり、これらは樹脂の一体成型により形成されている。
【００８０】
第１部品７１の第１固定部７１ｂは、図１３及び図１５に示すように、シャフト４１ｂに嵌合する内径を有する嵌合孔７１ｃを有している。嵌合孔７１ｃは、シャフト４１ｂの外形に対して、隙間無く嵌め合わされる内径を有している。このような、隙間の無い嵌合は、締まり嵌めや軽圧入と称される。
【００８１】
本実施形態では一例として、第１固定部７１ｂは、シャフト４１ｂに対して、径方向外側から嵌合することが可能に構成されている。具体的には、第１固定部７１ｂには、第１固定部７１ｂの外周面から嵌合孔７１ｃに至るように形成された切り欠き部７１ｄが形成されている。切り欠き部７１ｄの存在によって、嵌合孔７１ｃは、径方向外側に開いた状態となる。切り欠き部７１ｄは、周方向について、第１固定部７１ｂから延出する第１羽根部７１ａとは重ならない位置に設けられている。
【００８２】
切り欠き部７１ｄの幅は、嵌合孔７１ｃの直径よりも狭い。シャフト４１ｂを、第１固定部７１ｂの外側から切り欠き部７１ｄを広げるようにして押し入れることによって、シャフト４１ｂを嵌合孔７１ｃ内にまで嵌め込むことができる。
【００８３】
なお、切り欠き部７１ｄの幅は、切り欠き部７１ｄ内にシャフト４１ｂが挟み込まれている状態における第１固定部７１ｂの変形が、弾性変形の領域内となるように設定されている。
【００８４】
なお、第１部品７１は、切り欠き部７１ｄを有していない形態であってもよい。この場合、第１部品７１は、シャフト４１ｂの先端を嵌合孔７１ｃ内に圧入することによって、シャフト４１ｂに固定される。
【００８５】
嵌合孔７１ｃ内にシャフト４１ｂが嵌合した状態では、切り欠き部７１ｄの幅がシャフト４１ｂの外径よりも狭いため、切り欠き部７１ｄを広げるように第１固定部７１ｂを変形させる外力が加わらない限り、シャフト４１ｂと第１固定部７１ｂとの嵌合状態が外れることはない。
【００８６】
第１固定部７１ｂの切り欠き部７１ｄは、ドライブギヤ４２から回転中心軸に沿って第１部品７１に向かって突出する凸形状の係合部４２ａと係合する。切り欠き部７１ｄと係合部４２ａとの係合によって、ドライブギヤ４２に対する第１部品７１の回転中心軸周りの位置決めがなされ、両者間の相対的な回転が阻止される。すなわち、切り欠き部７１ｄは、シャフト４１ｂを嵌合孔７１ｃ内に導入するための部位でもあり、ドライブギヤ４２と第１部品７１との位置決めをするための係合部でもある。
【００８７】
第１羽根部７１ａは、第１固定部７１ｂの外周面から径方向外側に向かって、回転中心軸から所定の距離まで延出する部位である。本実施形態では、前述のように、４つの第１羽根部７１ａが、周方向に略等間隔で配設されている。
【００８８】
第１羽根部７１ａは、第１固定部７１ｂがシャフト４１ｂに固定された状態において、第１固定部７１ｂのドライブギヤ４２とは反対の側となる端部に配設されている。言い換えれば、第１羽根部７１ａは、第１固定部７１ｂの、回転中心軸に沿う方向について第２部品７２に近い側の端部に配設されている。これは、第１羽根部７１ａを第２部品７２に近い位置に配設することによって、第１羽根部７１ａと第２部品７２に設けられた第２羽根部７２ａとを同一平面上に配置しやすくするためである。
【００８９】
なお、図示する本実施形態では、第１羽根部７１ａは、回転中心軸方向から見た場合（図１３の視点）に、径方向外側に向かうにつれて扇状に幅が広がる形状を有しているが、第１羽根部７１ａは径方向外側に向かって略同一の幅を保って延出する形態であってもよい。
【００９０】
また、第１固定部７１ｂがシャフト４１ｂに固定された状態において、第１固定部７１ｂのドライブギヤ４２とは反対の側となる端部には、後述する第２部品７２の第２係合部７２ｅと係合することによって第１部品７１と第２部品７２との回転中心軸周りの位置決めをするように構成された第１係合部７１ｅが形成されている。ここで、第１部品７１の係合部７１ｅと第２部品７２の係合部７２ｅとの位置決めは、第１羽根部７１ａと第２羽根部７２ａが、略同一平面上に配置され、かつ周方向に略等間隔に配置されように設定されている。
【００９１】
また、第１部品７１の係合部７１ｅと第２部品７２の係合部７２ｅとの係合及び係合の解除は、第１部品７１と第２部品７２とが、回転中心軸に沿って相対的に移動することによって行われるように構成されている。
【００９２】
具体的には、第１係合部７１ｅは、第１固定部７１ｂの、第２部品７２に近い側の端部に設けられており、後述する第２羽根部７２ａの基部が、回転中心軸に沿う方向から内部に嵌入する凹形状の部位である。図１３に示すように、第１係合部７１ｅは、回転中心軸方向から見た場合に、第１羽根部７１ａと位相が４５度ずれた位置に配設されている。また、本実施形態の凹形状の第１係合部７１ｅは、内部に第２羽根部７２ａが嵌入した状態において、第１羽根部７１ａ及び第２羽根部７２ａが略同一の平面上に位置する深さを有している。なお、本実施形態では、切り欠き部７１ｄが形成された位置には第１係合部７１ｅは形成されていない。
【００９３】
第２部品７２は、前述のように第２固定部７２ｂ及び第２羽根部７２ａからなり、これらは樹脂の一体成型により形成されている。
【００９４】
第２部品７２の第２固定部７１ｂは、図１４及び図１５に示すように、シャフト４１ｂに嵌合する内径を有する嵌合孔７２ｃを有している。嵌合孔７２ｃは、シャフト４１ｂの外形に対して、隙間無く嵌め合わされる内径を有している。このような、隙間の無い嵌合は、締まり嵌めと称される。
【００９５】
第２固定部７２ｂは、シャフト４１ｂに対して、径方向外側から嵌合することが可能に構成されている。具体的には、第２固定部７２ｂには、第２固定部７２ｂの外周面から嵌合孔７２ｃに至るように形成された切り欠き部７２ｄが形成されている。切り欠き部７２ｄの存在によって、嵌合孔７２ｃは、第２固定部７２ｂの径方向外側に開いた状態となる。切り欠き部７２ｄは、周方向について、第２固定部７２ｂから延出する第２羽根部７２ａとは重ならない位置に設けられている。
【００９６】
切り欠き部７２ｄの幅は、嵌合孔７２ｃの直径よりも狭い。シャフト４１ｂを、第２固定部７２ｂの外側から切り欠き部７２ｄを広げるようにして押し入れることによって、シャフト４１ｂを嵌合孔７２ｃ内にまで嵌め込むことができる。
【００９７】
なお、切り欠き部７２ｄの幅は、切り欠き部７２ｄ内にシャフト４１ｂが挟み込まれている状態における第２固定部７２ｂの変形が、弾性変形の領域内となるように設定されている。
【００９８】
嵌合孔７２ｃ内にシャフト４１ｂが嵌合した状態では、切り欠き部７２ｄの幅がシャフト４２ｂの外径よりも狭く、また嵌合孔７２ｃとシャフト４１ｂとは締まり嵌めの関係にあるため、切り欠き部７１ｄを広げるように第２固定部７２ｂを変形させる外力が加わらない限り、シャフト４１ｂと第２固定部７２ｂとの嵌合状態が外れることはない。
【００９９】
第２羽根部７２ａは、第２固定部７２ｂの外周面から径方向外側に向かって、回転中心軸から所定の距離まで延出する部位である。第２羽根部７２ａは、フォトインタラプタ５０の検知範囲において、第１羽根部７１ａと略同一の形状を有している。
【０１００】
本実施形態では、前述のように、４つの第２羽根部７２ａが、周方向に略等間隔で配設されている。第２羽根部７２ａは、第２固定部７２ｂがシャフト４１ｂに固定された状態において、第２固定部７２ｂの第１部品７１に近い側の端部に配設されている。
【０１０１】
また、第２固定部７２ｂには、前述した第１部品７１に設けられた第１係合部７１ｅと係合する、第２係合部７２ｅが設けられている。第２係合部７２ｅは、第１部品７１の係合部７１ｅと係合することによって第１部品７１と第２部品７２との回転中心軸周りの位置決めをするように構成されている。
【０１０２】
前述したように、本実施形態においては、第２羽根部７２ａの基部が、第１部品７１に形成された凹形状の係合部７１ｅ内に嵌入するように構成されており、したがって、第２羽根部７２ａの基部が係合部７２ｅとして機能する。
【０１０３】
本実施形態では、第１部品７１及び第２部品７２の双方がシャフト４１ｂに嵌め合わされた状態において、第１部品７１及び第２部品７２をシャフト４１ｂに沿って相対的に近づく方向に摺動させることによって、第１部品７１の係合部７１ｅと第２部品７２の係合部７２ｅとが係合する。
【０１０４】
そして、第１部品７１の係合部７１ｅと第２部品７２の係合部７２ｅとが係合した状態において、図１７に示すように、第２羽根部７２ａは、第２羽根部７１ａに対して位相が４５度ずれた位置に配設される。すなわち、第１羽根部７１ａ及び第２羽根部７２ａによって構成される８枚の羽根部が、周方向に略等間隔に配置される。また、この状態において、第１羽根部７１ａ及び第２羽根部７２ａは、回転中心軸方向について、回転中心軸に略直交する同一平面上に配置される。
【０１０５】
以上に説明したように、回転スリット板７０は、第１部品７１及び第２部品７２が組み合わさることによって構成されている。
【０１０６】
次に、ズーム駆動ユニット１７において、サーボモータ４１、ドライブギヤ４２、回転スリット板７０を、ギヤケース４４に組み付ける手順について説明する。
【０１０７】
まず、図１８に示すように、サーボモータ４１のシャフト４１ｂに、ドライブギヤ４２及び第１部品７１を圧入し、固定する。このとき、ドライブギヤ４２の係合部４２ａと第１部品７１の切り欠き部７１ｄとを係合させる。
【０１０８】
次に、図１９に示すように、モータ固定壁４４ｅのスリット状のシャフト挿通部４４ｆに、シャフト４１ｂを挿通してサーボモータ４１を所定の位置に配置し、ネジ４９によってサーボモータ４１をモータ固定壁４４ｅに固定する。このとき、前述したように、第１羽根部７１ａは、ネジ４９及びネジ４９を回すための工具８０と干渉することがない配置である。
【０１０９】
次に、図２０に示すように、第２部品７２を、シャフト４１ｂに嵌め合わせる。この状態では、第１部品７１と第２部品７２とが、回転中心軸方向に離間した状態である。次に、第２部品７２を、シャフト４１ｂに沿って第１部品７１に近づく方向に摺動させ、第１部品７１の係合部７１ｅと、第２部品７２の係合部７２ｅとを係合させる。この操作により、シャフト４１ｂ上に固定された回転スリット板が組み上がる。
【０１１０】
以上に説明した本実施形態のレンズ鏡筒１では、回転スリット板７０においてスリットを構成するための複数の羽根部のうちの、一部を第１羽根部７１ａとして第１部品に設け、残りを第２羽根部７２ａとして第２部品に設けている。そして、第２部品７２は、シャフト４１ｂに対して径方向外側から嵌合可能に構成されている。
【０１１１】
このように、羽根部を２つの群に分けて第１部品７１及び第２部品７２に設けることによって、それぞれの羽根部の群において、隣接する羽根部の間隔が広い箇所が生じる。この羽根部の間隔が広い箇所に、シャフト４１を貫通孔７１ｅ及び７２ｅにまで嵌め込むための切り欠き部７１ｄ及び７２ｄを設けるようにすれば、切り欠き部７１ｄ及び７２ｄの存在が羽根部を周方向に密に配置する場合に妨げとなることがない。
【０１１２】
したがって本実施形態によれば、回転スリット板７０を構成する第１部品７１及び第２部品７２を、シャフトに対して径方向外側から嵌合可能とすることにより組み立て性を向上させつつ、回転スリット板のスリット数を増加させることができる。なお、組み立て性の向上によってサーボモータ４１の配置の自由度が向上するため、本発明はレンズ鏡筒の小型化にも貢献する。
【０１１３】
また、第１部品７１に設けられる第１羽根部７１ａは、ネジ４９及びネジ４９を回すための工具８０と干渉することがないように配置されている。したがって、本実施形態では、第１部品７１がシャフト４１ｂに固定された状態で、サーボモータ４１をモータ固定壁４４ｅに固定することができる。
【０１１４】
なお、本実施形態では、回転スリット板７０が有する羽根部の数は８つであるが、羽根部の数は本実施形態に限られるものではなく、８つより多くてもよいし少なくてもよい。
【０１１５】
また、回転スリット板７０を構成する第１部品７１は、ドライブギヤ４２と一体に成型される形態であってもよい。この変形例を図２１に示す。図２１に示すように、本変形例では、第１部品７１の固定部７１ｂがドライブギヤ４２と一体となる。
【０１１６】
このような変形例であっても、上述した実施形態と同様の効果が得られる。また、ネジ４９及びネジ４９を回すための工具８０が、第１羽根部７１ａと干渉することがないため、シャフト４１ｂにドライブギヤ４２（及び第１部品７１）が固定された状態でサーボモータ４１をモータ固定壁４４ｅに固定することができる。
【０１１７】
なお、本発明は、上述した実施形態に限られるものではなく、請求の範囲及び明細書全体から読み取れる発明の要旨或いは思想に反しない範囲で適宜変更可能であり、そのような変更を伴うレンズ鏡筒もまた本発明の技術的範囲に含まれるものである。
【０１１８】
本発明に係るレンズ鏡筒は、いわゆるデジタルカメラに備えられる形態に限らず、携帯通信端末、ゲーム機、デジタルメディアプレーヤー等の撮像機能を備えた電子機器に備えられる形態であってもよいことは言うまでもない。
【符号の説明】
【０１１９】
１    レンズ鏡筒、
２    固定枠、
３    回転枠、
３ｃ    カム溝、
３ｄ    直進溝、
４    移動枠、
４ｂ、４ｃ    直進溝、
４ｄ    カム溝、
５    フロートキー、
５ｂ    直進ガイド、
６    ガイド枠、
６ｃ、６ｂ    直進溝、
７    外カム枠、
７ａ    カム溝、
７ｄ    直進溝、
８    一群ズーム枠、
９    内カム枠、
９ｂ    カムフォロア、
９ｃ、９ｄａ、９ｄｂ    カム溝、
９ｅ    直進ガイド突起、
１１    二群ズーム枠、
１１ａ、１１ｂａ、１１ｂｂ    カムフォロア、
１２    シャッタ枠、
１３    二群枠、
１４    三群枠、
１５    四群枠ユニット、
１６    撮像ユニット、
１７    ズーム駆動ユニット、
１８    フォーカス駆動ユニット、
２０    一群キャップユニット、
２４    カムフォロア、
２５ａ    カムフォロア、
４１    サーボモータ（ズームモータ）、
４１ａ    ネジ穴、
４１ｂ    シャフト、
４１ｃ    座面部、
４２    ドライブギヤ（ウォームスクリュー）、
４２ａ    係合部、
４４    ギヤケース、
４４ａ    ネジ挿通孔、
４４ｃ    ネジ穴、
４４ｄ    ネジ穴、
４４ｅ    モータ固定壁、
４４ｆ    シャフト挿通孔、
４５    ウォームホイール、
４６    ギヤ、
４７    ギヤ、
４８    ロングギヤ、
４９    ネジ、
５０    フォトインタラプタ、
５１    フォーカスモータ、
５２    ユニット指示板、
５３    ガイド軸、
５４    ギヤ、
５５    ギヤ、
５６    送りネジ
５７    ナット、
６１    一群レンズ、
６２    二群レンズ、
６３    三群レンズ、
６４    四群レンズ、
６５    シャッタ羽根、
６６    シャッタアクチュエータ、
７０    回転スリット板７０、
７１    第１部品、
７１ａ    第１羽根部、
７１ｂ    第１固定部、
７１ｃ    嵌合孔、
７１ｄ    切り欠き部
７１ｅ    係合部、
７２    第２部品、
７２ａ    第２羽根部、
７２ｂ    第２固定部、
７２ｃ    嵌合孔、
７２ｄ    切り欠き部
７２ｅ    係合部、
８０    工具。
【図１】
2014059467.tif 000003
【図２】
2014059467.tif 000004
【図３】
2014059467.tif 000005
【図４】
2014059467.tif 000006
【図５】
2014059467.tif 000007
【図６】
2014059467.tif 000008
【図７】
2014059467.tif 000009
【図８】
2014059467.tif 000010
【図９】
2014059467.tif 000011
【図１０】
2014059467.tif 000012
【図１１】
2014059467.tif 000013
【図１２】
2014059467.tif 000014
【図１３】
2014059467.tif 000015
【図１４】
2014059467.tif 000016
【図１５】
2014059467.tif 000017
【図１６】
2014059467.tif 000018
【図１７】
2014059467.tif 000019
【図１８】
2014059467.tif 000020
【図１９】
2014059467.tif 000021
【図２０】
2014059467.tif 000022
【図２１】
2014059467.tif 000023